(57)【要約】【課題】公衆回線から画像データを受信する通信装置と画像データを印刷する印刷装置とがネットワークを介して接続された通信システムにおいて、通信装置で受信した画像データが印刷装置に転送された後も新着ＦＡＸの有無を通信装置側で確認することが可能な通信システム及び通信装置を提供すること。【解決手段】通信装置は、記憶部に記憶された画像データの状態に基づいて表示状態を切り替える状態表示手段を備える。状態表示手段は、印刷装置から画像データを受信確認した旨の情報を受信したことを契機に表示状態を切り替える構成とする。これにより、通信装置で受信した画像データが印刷装置に転送され印刷されたことを、ユーザは通信装置側で確認することができる。【選択図】図６
2011004114.tif 000002
【特許請求の範囲】
【請求項１】
公衆回線に接続され、前記公衆回線から画像データを受信するファクシミリ通信機能を有する通信装置と、前記通信装置と通信可能に構成され、前記通信装置が受信した前記画像データを、前記通信装置から転送されて印刷する印刷装置と、を備える通信システムにおいて、
前記通信装置は、
受信した前記画像データを記憶する第１記憶部と、
前記第１記憶部に記憶された前記画像データを前記印刷装置に転送し、その転送に対する応答を受信する第１情報送受信部と、
前記第１記憶部に記憶された前記画像データの状態に基づいて、表示状態を切り替える状態表示手段と、
を備え、
前記印刷装置は、
前記通信装置から転送された前記画像データを受信する第２情報送受信部と、
前記第２情報送受信部で受信された前記画像データを記憶する第２記憶部と、
前記第２記憶部に記憶された前記画像データを印刷する印刷部と、
前記印刷部で前記画像データが印刷されたことをユーザに報知する報知手段と、
前記報知手段による報知に従い、ユーザからの確認指示を受け付ける入力手段と、
を備え、
前記第２情報送受信部は、前記入力手段によりユーザからの確認指示が受け付けられた場合に、前記画像データを受信確認した旨の情報を前記通信装置に通知し、
前記状態表示手段は、前記第１情報送受信部が前記印刷装置から前記画像データを受信確認した旨の情報を受信したことを契機に表示状態を切り替える
ことを特徴とする通信システム。
【請求項２】
公衆回線に接続され、前記公衆回線から画像データを受信するファクシミリ通信機能を有する通信装置であって、受信した前記画像データを転送されて印刷する印刷装置と通信可能に構成された通信装置において、
受信した前記画像データを記憶する記憶部と、
前記記憶部に記憶された前記画像データを前記印刷装置に転送し、その転送に対する応答を受信する情報送受信部と、
前記記憶部に記憶された前記画像データの状態に基づいて、表示状態を切り替える状態表示手段と、
を備え、
前記状態表示手段は、前記情報送受信部が前記印刷装置から前記画像データを受信確認した旨の情報を受信したことを契機に表示状態を切り替える
ことを特徴とする通信装置。
【請求項３】
前記第１記憶部は、属性情報記憶領域を備え、受信した前記画像データに関連付けられた属性情報を保持し、
前記状態表示手段は、前記公衆回線から前記画像データを受信すると、前記属性情報に基づいて第１の表示状態から第２の表示状態に表示状態を切り替え、前記印刷装置から前記画像データを受信確認した旨の情報を受信したことを契機として、前記属性情報に基づいて前記第２の表示状態から第３の表示状態に表示状態を切り替える
ことを特徴とする請求項１に記載の通信システム。
【請求項４】
前記第１記憶部は、属性情報記憶領域を備え、受信した前記画像データに関連付けられた属性情報を保持し、
前記状態表示手段は、前記公衆回線から前記画像データを受信すると、前記属性情報に基づいて第１の表示状態から第２の表示状態に表示状態を切り替え、前記印刷装置から前記画像データを受信確認した旨の情報を受信したことを契機として、前記第１記憶部から前記画像データを消去し、前記属性情報に基づいて前記第２の表示状態から前記第１の表示状態へ表示状態を戻す
ことを特徴とする請求項１に記載の通信システム。
【発明の詳細な説明】
【技術分野】
【０００１】
本発明は、通信システム及び通信装置に関する。特に、公衆回線から画像データを受信する通信装置と画像データを印刷する印刷装置とが、ネットワークを介して互いに通信可能に接続された通信システム及びその通信装置に関する。
【背景技術】
【０００２】
従来、プリンタ、スキャナ、コピー、電話、ＦＡＸ通信、の各機能を備える複合機がある。このような複数の機能が一体となった複合機は、ユーザにとって一部の機能だけを高めることが難しいという問題があった。例えば、年々高速高解像度化が進み、技術革新が早いプリンタ、スキャナの機能を向上させたいが、電話、ＦＡＸ通信の機能については現在のままで良いと考えるユーザであっても、全ての機能を買い替えることになり負担が大きい。
【０００３】
また、このような複合機は、複数の機能を備えるため筐体が大きくなる。そのため、設置場所が限られてしまうという問題もあった。
【０００４】
これに対し、プリンタ、スキャナ、コピーの機能と、電話、ＦＡＸ通信の機能とを分離した構成がこれまでにも提案されている。例えば、下記の特許文献１には、電話機能、ＦＡＸ通信機能を有する通信ＢＯＸで受信した画像データを、プリンタ機能、スキャナ機能を有する画像処理装置に転送する通信システムが開示されている。
【先行技術文献】
【特許文献】
【０００５】
【特許文献１】特開２００６−２５２１６号公報
【発明の概要】
【発明が解決しようとする課題】
【０００６】
通信ＢＯＸと画像処理装置とが離れた場所に設置される場合、通信ＢＯＸで受信した画像データが画像処理装置に転送され印刷されたことを、ユーザが通信ＢＯＸ側で把握できることが望ましい。しかしながら、特許文献１では、画像データが通信ＢＯＸから画像処理装置に転送された後のユーザへの通知方法については考慮されていない。そのため、ユーザは、画像データの転送後は通信ＢＯＸ側で新着ＦＡＸがあるかどうかが分からず、画像処理装置で画像データが印刷されたことに気付かないおそれがある。
【０００７】
本発明は上記の課題に鑑み提案されたものである。本発明は、公衆回線から画像データを受信する通信装置と画像データを印刷する印刷装置とがネットワークを介して接続された通信システムにおいて、通信装置で受信した画像データが印刷装置に転送された後も新着ＦＡＸの有無を通信装置側で確認することが可能な通信システム及びその通信装置を提供することを目的とする。
【課題を解決するための手段】
【０００８】
本発明の請求項１に係る通信システムは、公衆回線に接続され、前記公衆回線から画像データを受信するファクシミリ通信機能を有する通信装置と、前記通信装置と通信可能に構成され、前記通信装置が受信した前記画像データを、前記通信装置から転送されて印刷する印刷装置と、を備える通信システムにおいて、前記通信装置は、受信した前記画像データを記憶する第１記憶部と、前記第１記憶部に記憶された前記画像データを前記印刷装置に転送し、その転送に対する応答を受信する第１情報送受信部と、前記第１記憶部に記憶された前記画像データの状態に基づいて、表示状態を切り替える状態表示手段と、を備え、前記印刷装置は、前記通信装置から転送された前記画像データを受信する第２情報送受信部と、前記第２情報送受信部で受信された前記画像データを記憶する第２記憶部と、前記第２記憶部に記憶された前記画像データを印刷する印刷部と、前記印刷部で前記画像データが印刷されたことをユーザに報知する報知手段と、前記報知手段による報知に従い、ユーザからの確認指示を受け付ける入力手段と、を備え、前記第２情報送受信部は、前記入力手段によりユーザからの確認指示が受け付けられた場合に、前記画像データを受信確認した旨の情報を前記通信装置に通知し、前記状態表示手段は、前記第１情報送受信部が前記印刷装置から前記画像データを受信確認した旨の情報を受信したことを契機に表示状態を切り替えることを特徴とする。
【０００９】
本発明の請求項２に係る通信装置は、公衆回線に接続され、前記公衆回線から画像データを受信するファクシミリ通信機能を有する通信装置であって、受信した前記画像データを転送されて印刷する印刷装置と通信可能に構成された通信装置において、受信した前記画像データを記憶する記憶部と、前記記憶部に記憶された前記画像データを前記印刷装置に転送し、その転送に対する応答を受信する情報送受信部と、前記記憶部に記憶された前記画像データの状態に基づいて、表示状態を切り替える状態表示手段と、を備え、前記状態表示手段は、前記情報送受信部が前記印刷装置から前記画像データを受信確認した旨の情報を受信したことを契機に表示状態を切り替えることを特徴とする。
【００１０】
本発明の請求項３に係る通信システムは、請求項１の通信システムにおいて、前記第１記憶部は、属性情報記憶領域を備え、受信した前記画像データに関連付けられた属性情報を保持し、前記状態表示手段は、前記公衆回線から前記画像データを受信すると、前記属性情報に基づいて第１の表示状態から第２の表示状態に表示状態を切り替え、前記印刷装置から前記画像データを受信確認した旨の情報を受信したことを契機として、前記属性情報に基づいて前記第２の表示状態から第３の表示状態に表示状態を切り替えることを特徴とする。
【００１１】
本発明の請求項４に係る通信システムは、請求項１の通信システムにおいて、前記第１記憶部は、属性情報記憶領域を備え、受信した前記画像データに関連付けられた属性情報を保持し、前記状態表示手段は、前記公衆回線から前記画像データを受信すると、前記属性情報に基づいて第１の表示状態から第２の表示状態に表示状態を切り替え、前記印刷装置から前記画像データを受信確認した旨の情報を受信したことを契機として、前記第１記憶部から前記画像データを消去し、前記属性情報に基づいて前記第２の表示状態から前記第１の表示状態へ表示状態を戻すことを特徴とする。
【発明の効果】
【００１２】
本発明の請求項１に係る通信システムによれば、通信装置と印刷装置とが離れた場所に設置される場合でも、通信装置で受信した画像データが印刷装置に転送され印刷されたことを、ユーザは通信装置側で確認することができる。
【００１３】
本発明の請求項２に係る通信装置によれば、通信装置で受信した画像データが、離れた場所に設置される印刷装置に転送され印刷されたことを、ユーザは通信装置側で確認することができる。
【００１４】
本発明の請求項３又は４に係る通信システムによれば、画像データに関連付けられた属性情報により、状態表示手段の制御を実現することができる。
【００１５】
本発明に係る通信システム又は通信装置によれば、公衆回線から画像データを受信する通信装置と画像データを印刷する印刷装置とがネットワークを介して接続された通信システムにおいて、通信装置で受信した画像データが印刷装置に転送された後も新着ＦＡＸの有無を通信装置側で確認することができる。
【図面の簡単な説明】
【００１６】
【図１】本発明の実施例に係る通信システムの構成図である。
【図２】本発明の実施例に係る通信システムのブロック図である。
【図３】通信ＢＯＸのメイン処理のフローチャートである。
【図４】通信ＢＯＸのＬＥＤ制御タスクのフローチャートである。
【図５】受信ＦＡＸデータの内容の一例を示す図である。
【図６】通信ＢＯＸがＰＳＴＮを介してＦＡＸデータを受信した場合におけるＬＥＤの動作を示すシーケンス図である。
【図７】印刷装置の表示部に表示されるＧＵＩの一例を示す図である。
【図８】印刷装置の受信ＦＡＸ処理のフローチャートである。
【図９】印刷装置の新着確認画面タスクのフローチャートである。
【発明を実施するための形態】
【００１７】
図面を参照して実施例を説明する。
図１は、本実施例の通信システムの構成図である。公衆回線網（Public Switched Telephone Network、以下、ＰＳＴＮと表記する。）に接続された通信ＢＯＸ１０は、電話機能、ＦＡＸ通信機能、等を有する。また、印刷装置５０は、プリンタ機能、スキャナ機能、等を有する。通信ＢＯＸ１０と印刷装置５０とは、無線ＬＡＮ（Wireless Local Area Network、以下、ＷＬＡＮと表記する。）機能を備えており、ＬＡＮを介して互いに通信可能に接続されている。
【００１８】
通信ＢＯＸ１０の前面には、ＬＥＤ１７が設けられる。ユーザは、ＬＥＤ１７を介して様々な情報を確認することができる。また、印刷装置５０の上面には、タッチパネルディスプレイを備えて構成された表示部５７、複数のキーを備えて構成された操作パネル５９が設けられる。ユーザは、表示部５７、操作パネル５９を介して様々な指示を入力することができる。
【００１９】
図２は、本実施例の通信システムのブロック図である。通信ＢＯＸ１０は、制御部２０、ＰＳＴＮインターフェイス３０、ＷＬＡＮインターフェイス１１、符号化部１３、復号化部１５、ＬＥＤ１７、等を備える。制御部２０は、ＣＰＵ２１、メモリ２３、等を備えて構成される。ＣＰＵ２１は、通信ＢＯＸ１０における様々な処理を行う。メモリ２３は、通信ＢＯＸ１０における各種の制御プログラムの他、ＰＳＴＮを介して送受信されるＦＡＸデータ等を記憶する。
【００２０】
ＰＳＴＮインターフェイス３０は、ＮＣＵ（Network Control Unit、以下、ＮＣＵと表記する。）３１、モデム３３、等を備え、ＰＳＴＮと通信ＢＯＸ１０とを接続する。ＮＣＵ３１は、ＰＳＴＮからの呼出信号の検出、ＰＳＴＮへのダイヤル信号の送出を行う。モデム３３は、デジタル信号、アナログ信号間の変復調を行う。
【００２１】
ＷＬＡＮインターフェイス１１は、ＷＬＡＮ通信を行い、ＬＡＮと通信ＢＯＸ１０とを接続する。符号化部１３、復号化部１５は、ＦＡＸデータに含まれる画像データの符号化、復号化を行う。ＬＥＤ１７は、メモリ２３に記憶されたＬＥＤ制御プログラムに従ってＣＰＵ２１に制御されて、消灯、点灯、点滅、を行う。
【００２２】
印刷装置５０は、制御部６０、プリンタ７０、排紙センサ７１、ＷＬＡＮインターフェイス５１、符号化部５３、復号化部５５、表示部５７、操作パネル５９、等を備える。制御部６０は、ＣＰＵ６１、メモリ６３、等を備えて構成される。ＣＰＵ６１は、印刷装置５０における様々な処理を行う。メモリ６３は、印刷装置５０における各種の制御プログラムの他、通信ＢＯＸ１０との間でＬＡＮを介して送受信されるＦＡＸデータ等を記憶する。
【００２３】
プリンタ７０は、ＦＡＸデータ等を記録用紙へ印刷する。排紙センサ７１は、印刷装置５０の排紙部分に設けられた光学センサである。表示部５７は、タッチパネルディスプレイを備えて構成され、様々な情報を表示するとともに、ユーザの入力を受け付けることができる。また、操作パネル５９は、複数のキーを備えて構成され、ユーザの入力を受け付けることができる。
【００２４】
ＷＬＡＮインターフェイス５１は、ＷＬＡＮ通信を行い、ＬＡＮと印刷装置５０とを接続する。符号化部５３、復号化部５５は、ＦＡＸデータに含まれる画像データの符号化、復号化を行う。
【００２５】
続いて、図３乃至図５を参照して、通信ＢＯＸ１０のＣＰＵ２１が実行する処理について説明する。図３は通信ＢＯＸ１０のメイン処理のフローチャート、図４は通信ＢＯＸ１０のＬＥＤ制御タスクのフローチャート、図５はメモリ２３に記憶される受信ＦＡＸデータの内容の一例を示す図である。
【００２６】
図３に示されるメイン処理は、通信ＢＯＸ１０が待機中にＦＡＸデータを受信すると随時実行される。通信ＢＯＸ１０のＣＰＵ２１は、ＰＳＴＮを介してＦＡＸデータを受信すると（Ｓ１０１：ＹＥＳ）、ＬＥＤ制御フラグの値に１を代入して（Ｓ１０３）、ＬＥＤ制御タスクを起動する（Ｓ１０５）。
【００２７】
ＬＥＤ制御タスクが起動されると、図４に示されるように、通信ＢＯＸ１０のＣＰＵ２１は、ＬＥＤ制御フラグの値が０であるか否かを判断する（Ｓ１１）。ここで、図５に示されるように、ＦＡＸデータは、ヘッダ１００と画像データ２００とを含む。受信ＦＡＸデータの場合、ヘッダ１００には、受信ＦＡＸであること、受信日時、相手番号、等の情報の他、ＬＥＤ制御フラグ１０１が含まれる。ＬＥＤ制御フラグは、０、１、２、のスリーステータスの情報であり、それぞれＬＥＤ１７の消灯、点滅、点灯、に対応する。また、通信ＢＯＸ１０が起動して初期化されると、ＬＥＤ制御フラグの値は０とされる。ＬＥＤ制御フラグの値が０である場合（Ｓ１１：ＹＥＳ）、ＣＰＵ２１は、Ｓ１３において、ＬＥＤ１７を消灯させる。一方、ＬＥＤ制御フラグの値が０でない場合（Ｓ１１：ＮＯ）、ＣＰＵ２１は、ＬＥＤ制御フラグの値が１であるか否かを判断する（Ｓ１２）。ＬＥＤ制御フラグの値が１である場合（Ｓ１２：ＹＥＳ）、ＣＰＵ２１は、Ｓ１５において、ＬＥＤ１７を点滅させる。ＬＥＤ制御フラグの値が１でない場合（Ｓ１２：ＮＯ）、ＬＥＤ制御フラグの値は２であるため、ＣＰＵ２１は、Ｓ１４において、ＬＥＤ１７を点灯させる。
【００２８】
したがって、図３のメイン処理において、ＦＡＸデータを受信すると（Ｓ１０１：ＹＥＳ）、Ｓ１０３、Ｓ１０５の処理を経て、ＬＥＤ１７は点滅に切り替わる。そして、通信ＢＯＸ１０のＣＰＵ２１は、印刷装置５０へＦＡＸ受信通知を送信し（Ｓ１０７）、印刷装置５０からデータ要求を受信するまで、ＦＡＸ受信通知の送信を繰り返しながら待機する（Ｓ１０９：ＮＯ）。データ要求を受信すると（Ｓ１０９：ＹＥＳ）、ＣＰＵ２１は、印刷装置５０へＦＡＸデータを送信し（Ｓ１１１）、印刷装置５０から既読設定を受信するまで待機する（Ｓ１１３：ＮＯ）。既読設定を受信すると（Ｓ１１３：ＹＥＳ）、ＣＰＵ２１は、ＬＥＤ制御フラグの値に２を代入して（Ｓ１１５）、ＬＥＤ制御タスクを起動する（Ｓ１１７）。その結果、上述したＬＥＤ制御タスクが実行され、ＬＥＤ１７は点灯に切り替わる。
【００２９】
続いて、通信ＢＯＸ１０がＦＡＸデータを受信した場合におけるＬＥＤ１７の動作について説明する。図６は、通信ＢＯＸ１０がＰＳＴＮを介してＦＡＸデータを受信した場合におけるＬＥＤ１７の動作を示すシーケンス図である。図６では、ＬＥＤ１７の動作は通信ＢＯＸ１０の動作シーケンス上に重ねて表示されており、黒はＬＥＤ１７の消灯を、ドットはＬＥＤ１７の点滅を、白はＬＥＤ１７の点灯を、それぞれ示している。
【００３０】
通信ＢＯＸ１０のメモリ２３に受信ＦＡＸデータがなく、ＬＥＤ１７が消灯している状態で、通信ＢＯＸ１０が相手ＦＡＸ機からＰＳＴＮを介してＦＡＸデータを受信すると、上述したＬＥＤ１７の制御に従いＬＥＤ１７が点滅を開始する。また、ＰＳＴＮを介してＦＡＸデータを受信すると、通信ＢＯＸ１０は、印刷装置５０にＦＡＸ受信通知を行う。なお、通信ＢＯＸ１０と印刷装置５０との間の通信は、前述のようにＷＬＡＮ通信によって行われる。
【００３１】
ここで、図７乃至図９を参照して、通信ＢＯＸ１０からＦＡＸ受信通知があった場合に、印刷装置５０のＣＰＵ６１が実行する処理について説明する。図７は印刷装置５０の表示部５７に表示されるＧＵＩの一例を示す図、図８は印刷装置５０の受信ＦＡＸ処理のフローチャート、図９は印刷装置５０の新着確認画面タスクのフローチャートである。
【００３２】
図８に示されるように、印刷装置５０のＣＰＵ６１は、通信ＢＯＸ１０からＦＡＸ受信通知を受信すると（Ｓ２１）、通信ＢＯＸ１０に対して受信ＦＡＸデータを転送するようデータ要求を行う（Ｓ２２）。そして、ＣＰＵ６１は、通信ＢＯＸ１０から転送された受信ＦＡＸデータを受信し（Ｓ２３）、プリンタ７０で印刷して（Ｓ２４）、新着確認画面タスクを起動する（Ｓ２５）。
【００３３】
新着確認画面タスクが起動されると、図９に示されるように、印刷装置５０のＣＰＵ６１は、新着確認画面を表示する（Ｓ３１）。これにより、印刷装置５０の表示部５７には、図７に示されるような新着確認画面が表示される。新着確認画面では、新着の受信ＦＡＸデータの印刷完了を示すメッセージと、ＦＡＸ受け取り確認の入力をユーザから受け付ける確認ボタンとが表示される。ＣＰＵ６１は、確認ボタンによってユーザからＦＡＸ受け取り確認の入力を受け付けると（Ｓ３２）、通信ＢＯＸ１０に対して既読設定を送信する（Ｓ３３）。
【００３４】
再び図６を参照して、通信ＢＯＸ１０が印刷装置５０にＦＡＸ受信通知を行った後のＬＥＤ１７の動作について説明する。通信ＢＯＸ１０が印刷装置５０にＦＡＸ受信通知を行うと、印刷装置５０は図８で説明した受信ＦＡＸ処理に従い通信ＢＯＸ１０にデータ要求を行う。そして、通信ＢＯＸ１０から印刷装置５０に受信ＦＡＸデータが転送され、印刷装置５０は受信ＦＡＸデータを印刷する。その後、印刷装置５０は図９で説明した新着確認画面タスクに従いユーザからＦＡＸ受け取り確認の入力を受け付けると、通信ＢＯＸ１０に既読設定を送信する。
【００３５】
印刷装置５０から既読設定の送信があると、通信ＢＯＸ１０では、前述のように受信ＦＡＸデータのＬＥＤ制御フラグの値に２が代入されて、ＬＥＤ１７は点滅から点灯に切り替わる。
【００３６】
ここで、特許請求の範囲との対応は以下の通りである。
ＦＡＸデータは画像データの一例、通信ＢＯＸ１０は通信装置の一例、印刷装置５０は印刷装置の一例、メモリ２３、６３はそれぞれ第１、第２記憶部の一例、ＷＬＡＮインターフェイス１１、５１はそれぞれ第１、第２情報送受信部の一例、プリンタ７０は印刷部の一例、表示部５７は報知手段、入力手段の一例、既読設定は画像データを受信確認した旨の情報の一例、ヘッダ１００は属性情報記憶領域の一例、ＬＥＤ制御フラグ１０１は属性情報の一例である。また、通信ＢＯＸ１０のメイン処理（図３）とＬＥＤ制御タスク（図４）とによるＬＥＤ１７の制御によって、状態表示手段が実現される。また、ＬＥＤ１７の消灯、点滅、点灯は、それぞれ第１、第２、第３の表示状態の一例である。
【００３７】
以上、詳細に説明した通り、本発明の前記実施例によれば、通信ＢＯＸ１０が受信したＦＡＸデータが印刷装置５０に転送され、印刷装置５０が受信ＦＡＸデータを印刷した後も、通信ＢＯＸ１０のＬＥＤ１７は点滅状態を保持して、ユーザに受け取られていない新着ＦＡＸデータがあることを表示する。そして、ユーザからＦＡＸ受け取り確認の入力を受け付けると、ＬＥＤ１７は点滅から点灯に切り替わり、新着ＦＡＸデータがあることの表示を終了する。
【００３８】
そのため、ユーザによる受信ＦＡＸデータの受け取りがあるまで、ＬＥＤ１７はユーザにより受け取られていない新着の受信ＦＡＸデータがあることを確実に表示することができる。したがって、通信ＢＯＸ１０と印刷装置５０とが離れた場所に設置される場合でも、通信ＢＯＸ１０で受信したＦＡＸデータが印刷装置５０に転送され印刷されたことを、ユーザは通信ＢＯＸ１０側で確認することができる。ＰＳＴＮからＦＡＸデータを受信する通信ＢＯＸ１０と、ＦＡＸデータを印刷する印刷装置５０とが、ＷＬＡＮを介して接続された通信システムにおいて、通信ＢＯＸ１０で受信したＦＡＸデータが印刷装置５０に転送された後も新着ＦＡＸの有無を通信ＢＯＸ１０側で確認することができる。
【００３９】
なお、本発明は前記実施例に限定されるものではなく、本発明の趣旨を逸脱しない範囲内での種々の改良、変更が可能であることは言うまでもない。
【００４０】
前記実施例では、印刷装置５０の表示部５７に表示された確認ボタンによって、ユーザによる受信ＦＡＸデータの受け取りの確認を行う。しかし、これに限られない。例えば、印刷装置５０の排紙部分に設けられた排紙センサ７１によって、受信ＦＡＸデータが印刷された記録用紙の取り出しを検知することで、ユーザによる受信ＦＡＸデータの受け取りの確認を行ってもよい。その他、通信ＢＯＸ１０に対するユーザの操作によって、ＦＡＸ受け取り確認を行ってもよい。
【００４１】
また、前記実施例における各フローチャートは単なる一例であり、当該各フローチャートの処理と同等の結果を得ることできるものであれば、他のフローチャートによって処理を実現してもよい。図３で説明した通信ＢＯＸ１０のメイン処理におけるＳ１１７の後、ユーザからメモリ２３に記憶される受信ＦＡＸデータの消去を受け付け、消去の受け付けに応じてＬＥＤ制御フラグの値に０を代入し、ＬＥＤ１７を消灯するようにしてもよい。その他、メイン処理において、既読設定を受信すると（Ｓ１１３：ＹＥＳ）、ＣＰＵ２１は、ＬＥＤ制御フラグの値に２を代入して（Ｓ１１５）、ＬＥＤ制御タスクを起動し（Ｓ１１７）、ＬＥＤ１７は点灯に切り替わるとしたが、これに限られない。既読設定を受信したことを契機として、ＣＰＵ２１は、メモリ２３から受信ＦＡＸデータを消去してＬＥＤ制御フラグの値に０を代入し、ＬＥＤ１７を消灯するようにしてもよい。
【００４２】
また、通信ＢＯＸ１０と印刷装置５０との間の通信は、有線通信であっても構わないことは言うまでもない。
【００４３】
また、前記実施例では、ＬＥＤ１７の消灯、点灯、点滅は、それぞれ、メモリ２３に受信ＦＡＸデータがない状態、既読ＦＡＸデータのみがある状態、新着ＦＡＸデータがある状態、に対応するとしたが、これに限られない。ＬＥＤ１７の各態様に別の状態を対応させてもよい。さらに、ＬＥＤ１７に限らず、別の表示手段を用いてもよい。
【符号の説明】
【００４４】
１０    通信ＢＯＸ
１７    ＬＥＤ
２１、６１    ＣＰＵ
２３、６３    メモリ
５０    印刷装置
５７    表示部
【図１】
2011004114.tif 000003
【図２】
2011004114.tif 000004
【図３】
2011004114.tif 000005
【図４】
2011004114.tif 000006
【図５】
2011004114.tif 000007
【図６】
2011004114.tif 000008
【図７】
2011004114.tif 000009
【図８】
2011004114.tif 000010
【図９】
2011004114.tif 000011